(57)【要約】【課題】  ＲＦタグ２１の記録に基づく情報を感熱印字で表示することで消費者へ価格や注意事項をアピールでき、また、ＲＦタグの記録は専用リーダーで読み取れるので、管理機能とを併用することができるＲＦタグ付き感熱ロールラベル１０、及びそれを貼着してなる物品を提供する。【解決手段】  少なくとも１つのＲＦタグ２１を有するラベル片１１が連なったロールラベルにおいて、前記ラベル片１１の少なくとも１部に感熱記録部を有し、ＲＦタグ２１と、該ＲＦタグ２１の記録に基づく情報を感熱印字で表示することができ、好ましくは、前記ＲＦタグ２１の記録に基づく情報が少なくとも生産履歴情報、流通履歴情報、及び／又は品質情報であることを特徴とする。【選択図】  図１
2007033837.tif 000002
【特許請求の範囲】
【請求項１】
少なくとも１つのＲＦタグを有するラベル片が連なったロールラベルにおいて、前記ラベル片の少なくとも１部に感熱記録部を有することを特徴とするＲＦタグ付き感熱ロールラベル。
【請求項２】
上記ＲＦタグの記録に基づく情報が、少なくとも生産履歴情報、流通履歴情報、及び／又は品質情報であることを特徴とする請求項１記載のＲＦタグ付き感熱ロールラベル。
【請求項３】
少なくとも生産履歴情報、流通履歴情報、及び／又は品質情報が表示されてなる請求項１〜２のいずれかに記載のＲＦタグ付き感熱ロールラベルが貼着されていることを特徴とするＲＦタグ付き感熱ロールラベルを貼着してなる物品。
【発明の詳細な説明】
【技術分野】
【０００１】
本発明は、ＲＦタグ付き感熱ロールラベルに関し、さらに詳しくは、ＲＦタグの記録に基づく情報を感熱印字で表示することができるＲＦタグ付き感熱ロールラベル、及びそれを貼着してなる物品に関するものである。
【０００２】
本明細書において、配合を示す「比」、「部」、「％」などは特に断わらない限り質量基準であり、「／」印は一体的に積層されていることを示す。
また、ＲＦタグとは、ＲＦＩＤ（Ｒａｄｉｏ  Ｆｒｅｑｕｅｎｃｙ  Ｉｄｅｎｔｉｆｉｃａｔｉｏｎ）システムの媒体として、電波を用いて非接触で情報の交信ができるタグで、なお、「ＲＦタグ」には「ＲＦＩＤタグ」、「非接触ＩＣタグ」、「非接触データキャリア」、「無線ＩＣタグ」、「非接触ＩＣ」、「非接触ＩＣラベル」、「トランスポンダ」等と、種々の名称で表現される場合もあるので、本発明においては、代表して「ＲＦタグ」と表現し、前述のような名称のものも包含するものとする。
【背景技術】
【０００３】
（主なる用途）本発明のＲＦタグ付き感熱ロールラベルを貼着してなる物品としては、製品自身、包装梱包したダンボール箱やコンテナへ貼着したり、配送伝票や納品票へ貼着したり、例えば、鉱業、農業、漁業などの自然物、日用品、飲料、食品、アパレル商品、機械や機械部品類、電気製品、建築用品などの加工品や製品やそれらを複数梱包した箱でも良い。また、航空業界のバッケージ用、運輸流通業界の配送用、図書館蔵書の管理用、レンタルＣＤやビデオの管理用などの搬入搬出や貸し出しの自動認識システムとしても適用できる。
ＲＦタグ付き感熱ロールラベルの主なる用途としては、あらゆる物品の、少なくとも生産履歴情報、流通履歴情報、及び／又は品質情報などの情報を記録でき、該記録に基づく情報を感熱印字で表示するものであり、該ＲＦタグの記録に基づく情報を感熱印字で表示を必要とする用途であれば、特に限定されるものではない。
【０００４】
（背景技術）ＲＦタグは、多くの自然品又は加工物品のタグ、アパレル商品のタグ、航空業界のバージタグ、運輸流通業界の配送タグ、図書館蔵書タグ、レンタルＣＤやビデオの管理タグなどの種々の自動認識システムとして適用され、ますます拡大している。
しかしながら、ＲＦタグに記録された情報は専用のリーダーがなければ、人間は目視で認識することができない。そこで、ＲＦタグ付き感熱ロールラベルは、ＲＦタグの記録に基づく情報を感熱印字で表示することで、目視で認識可能に表示することが求められている。
【０００５】
（先行技術）従来、親展性の情報を記載でき、かつ郵送料を安くできるＲＦＩＤタグ付き圧着はがきとしては、ＲＦＩＤタグ付きカードを切り取り可能に保持した圧着はがきが知られている（例えば、特許文献１参照。）。しかしながら、ＲＦＩＤタグに記録された情報に基づく感熱印字による表示はできないという欠点がある。
また、カードの使用期限などの表示を簡便に行うことができるＩＣチップ実装体として、カード基材に第２静電アンテナを熱転写方式により形成し、記録層として２色感熱記録層を設け、第２静電アンテナ上にＩＣチップ実装ラベルを接合するが知られている（例えば、特許文献２参照。）。しかしながら、前記静電アンテナが形成されている支持体の反対側の面に目視情報を記録した記録部が設けられているので、記録部は静電アンテナの影響を受けて、記録部の面積や材質は制約を受けて自由に設定できないし、また、支持体の静電アンテナが形成された位置へ、ＩＣチップを位置合わせして接合しなければならず、支持体に自由な位置へ貼着できないし、生産性も低くという問題点がある。
【０００６】
【特許文献１】特開２００３−１４１４９２号公報
【特許文献２】特開２００３−３０６１７号公報
【発明の開示】
【発明が解決しようとする課題】
【０００７】
そこで、本発明はこのような問題点を解消するためになされたものである。その目的は、感熱ロールラベルへＲＦタグを付与することで、ＲＦタグの記録に基づく情報を感熱印字で表示することで消費者へ価格や注意事項をアピールでき、また、生産履歴情報、流通履歴情報、及び／又は品質情報などの種々の詳細情報が記録されたＲＦタグの記録は専用リーダーで読み取れるので、管理機能とを併用することができるＲＦタグ付き感熱ロールラベル、及びそれを貼着してなる物品を提供することである。
【課題を解決するための手段】
【０００８】
上記の課題を解決するために、
請求項１の発明に係わるＲＦタグ付き感熱ロールラベルは、少なくとも１つのＲＦタグを有するラベル片が連なったロールラベルにおいて、前記ラベル片の少なくとも１部に感熱記録部を有するように、したものである。
請求項２の発明に係わるＲＦタグ付き感熱ロールラベルは、上記ＲＦタグの記録に基づく情報が、少なくとも生産履歴情報、流通履歴情報、及び／又は品質情報であるように、したものである。
請求項３の発明に係わるＲＦタグ付き感熱ロールラベルを貼着してなる物品は、少なくとも生産履歴情報、流通履歴情報、及び／又は品質情報が表示されてなる請求項１〜２のいずれかに記載のＲＦタグ付き感熱ロールラベルが貼着されているように、したものである。
【発明の効果】
【０００９】
請求項１の本発明によれば、目視できないＲＦタグの記録に基づく情報を感熱印字で表示できるＲＦタグ付き感熱ロールラベルが提供される。
請求項２の本発明によれば、感熱印字で表示することで消費者へ価格や注意事項をアピールでき、また、生産履歴情報、流通履歴情報、及び／又は品質情報などの種々の詳細情報が記録されたＲＦタグの記録は専用リーダーで読み取れるので、管理機能とを併用することができるＲＦタグ付き感熱ロールラベルが提供される。
請求項３の本発明によれば、目視できないＲＦタグの記録に基づく情報を感熱印字で表示できることで消費者へ価格や注意事項をアピールできる、また、ラベルに自由な位置へ貼着でき、生産性も高いＲＦタグ付き感熱ロールラベルを貼着してなる物品が提供される。
【発明を実施するための最良の形態】
【００１０】
以下、本発明の実施形態について、図面を参照しながら、詳細に説明する。
図１は、本発明の１実施例を示すＲＦタグ付き感熱ロールラベルの斜視図である。
図２は、図１のＡＡ断面図である。
【００１１】
（物の発明）本発明のＲＦタグ付き感熱ロールラベル１０は、図１に示すように、少なくとも１つのＲＦタグ２１を有する、感熱印字の可能なラベル片１１が連なったロールである。好ましくはＲＦタグ２１に記録された情報をそのまま、又は該情報に基づいて加工した情報を、ラベル片１１の感熱印字部（感熱記録層１３）へ目視可能に表示することができる。ＲＦタグ２１に記録される情報は、少なくとも生産者や生産場所などの生産履歴情報、流通温度や経路などの流通履歴情報、及び／又は等級や大きさなどの品質情報を含み、さらに、小売などの価格、各種注意事項など必要に応じて決めればよい。目視可能に表示する情報は、ＲＦタグ２１に記録された情報から適宜選択して、表示することができる。また、感熱記録部は静電アンテナ位置の影響を受けないので、感熱記録部の面積や材質を自由に設定できる。また、ＲＦタグ２１の貼着位置は静電アンテナの位置へ位置合わせする必要がなく、ラベル基材１３の自由な位置へ貼着できるので生産性も高い。
【００１２】
（感熱ロールラベル）ＲＦタグ付き感熱ロールラベル１０は、少なくとも１つのＲＦタグ２１を有し、感熱印字の可能な感熱印字部を有するラベル片１１が連なった感熱ロールラベルである。図２に示すように、ラベル片１１はラベル基材１３へ感熱記録層１５からなる少なくとも１部の感熱印字部を設けたものである。感熱ロールラベルには、適宜、切断する位置に予めミシン目やカットを設けてもよく、また必要に応じて印刷などの設けてもよい。また、ラベル基材１３の裏面へ粘着剤を塗布し、必要に応じて剥離紙（セパレート紙、セパ紙ともいう）を積層し、また、用途に合わせて基材のみを半抜きして、粘着ラベル状としてもよい。ＲＦタグ２１の感熱ロールラベルへの貼着は、接着剤や粘着剤、両面粘着テープ、留め金具、埋め込みなどいずれの方法でもよい。
【００１３】
ラベル基材１３としては、一定の平面状態を保てる程度の厚みを有する各種の材料を使用することができ、一般的には、上質紙や板紙等の紙基材類、合成及び天然プラスチック材料類である。紙基材としては、具体的には、賦型性、耐屈曲性、剛性等を持たせるものであり、例えば、強サイズ性の晒または未晒の紙基材、あるいは純白ロ−ル紙、クラフト紙、板紙、加工紙等の紙基材、その他等を使用することができる。また、該紙基材に、各種の樹脂のフィルム乃至シ−トなどを貼合したものを用いてもよい。上記の紙層を構成する紙基材としては、坪量２０〜６００ｇ／ｍ2程度のもの、好ましくは、坪量５０〜４５０ｇ／ｍ2位のものを使用することが望ましい。合成及び天然プラスチック材料としては、合成紙、ポリエチレンやポリプロピレン、あるいはポリエステルやポリ塩化ビニール、セルロース系樹脂のような一般的なプラスチック材料が使用でき、厚さとしては、１０〜５００μｍ程度、好ましくは３０〜３００μｍである。
【００１４】
（感熱記録層）感熱記録層１５としては、不可逆的に記録できる感熱記録層１５でも、可逆的（リライタブル、リライトと略す）に記録できる感熱記録層１５でもよい。
【００１５】
（不可逆印字）不可逆的に記録するための感熱記録層１５としては、具体的には、感熱破壊記録方式のもの、感熱発色記録方式のものや放電加工により金属を破壊する方式のものがある。感熱破壊記録方式のものは、ラベル基材の少なくとも一部に、金属単体、合金、金属化合物の薄膜層からなる感熱破壊記録層を設け、該感熱破壊記録層をレーザビームあるいはサーマルヘッドなどの加熱手段により破壊することによって、固有情報を記録するものである。該薄膜層としては低融点を有するものが好ましく、膜厚は１００Å〜１μｍ好ましくは５００〜１０００Å程度である。
【００１６】
また、感熱発色記録方式のものは、記録媒体の少なくとも一部に、感熱発色層を感熱記録層１５として設け、該感熱記録部をレーザビームあるいはサーマルヘッドなどの加熱手段により発色させることによって、固有情報を記録するものであり、該感熱発色層は、クリスタルバイオレットラクトン、マリカイトグリーンラクトン等のトリフェニルメタン系；１，２−ベンゾー６−ジエチルアミノフルオラン等のフルオラン系；Ｎ−ベンゾイオーラミン等のオーラミン；その他、フエノチアジン系；スピロピラン系などのロイコ染料、フェノール性化合物などの酸性顕色剤、及びキシレン樹脂、フェノール樹脂、クマロン樹脂、ビニルトルエン樹脂、テルペン樹脂、ビニルトルエン／ブタジエン共重合体樹脂、ビニルトルエン／アクリレート共重合体樹脂などのバインダーから基本的に構成されている。上述の各成分を用いて感熱発色層を形成するにはロイコ染料１０〜１５重量％、酸性顕色剤１０〜１５重量％、バインダー１０〜２０重量％、及び以上の各成分のうち少なくともバインダー樹脂を溶解し、ロイコ染料及び酸性顕色剤の一方だけを溶解するか或いはいずれも溶解しない有機溶剤または水を用いて溶解ないし分散して塗料とし、得られた塗料を用いて公知の印刷法若しくは塗布方法により基材上に全面若しくはパターン状に設ければよく、感熱記録層１５の厚みとしては通常５〜１５μｍ程度である。
【００１７】
（可逆印字）外部エネルギーとして熱を使用して可視情報を可逆的に繰り返し書き換えできる、感熱記録方式の可逆表示素子には、例えば、加熱冷却によって、透明状態と白濁状態とに可逆的に変化させる方式が適用できる。該感熱記録方式の可逆表示素子には、特願平６−２５０１２６号公報、特願平６−２５１６６１号公報等に開示されている脂肪酸を高分子マトリックス中に分散した高分子／脂肪酸複合膜がある。また、特開平４−７１８９９号公報、特開平５−３０１４８９号公報等に開示されている液晶を高分子マトリックス中に分散した液晶／高分子複合膜〔別名ＰＤＬＣ（Ｐｏｌｙｍｅｒ  ＤｉｓｐｅｒｓｅｄＬｉｑｕｉｄ  Ｃｒｙｓｔａｌ膜〕等を利用したものなどが使用できる。
【００１８】
（ＲＦタグ）感熱印字の可能なラベル片１１には少なくとも１つのＲＦタグ２１を有し、必要に応じて複数のＲＦタグ２１を設けてもよい。図２では作図の都合上、ＲＦタグ２１を裏面の隅部に設けた例を示しているが、ＲＦタグ２１を設ける場所は特に限定されず、ラベルの表でも裏でもよく、また、ラベルの中央でも隅部でもよい。ＲＦタグ２１は目視する必要がなく、印字表示を明確化でき、表示情報をアピールできる点から、印字表示と反対側の隅部が好ましい。
【００１９】
ＲＦタグ２１は公知のものでよく、ＲＦタグ基体にアンテナパターンとＲＦＩＤ素子からなり、該ＲＦＩＤ素子はＩＣチップとメモリからなっている。アンテナパターンとＩＣチップに内蔵された容量素子とにより共振回路を形成し、該共振回路はリーダライタから一定の周波数の電波を受信すると、メモリに記憶している情報を発信源であるリーダライタに送信して返すことで、情報の交信を行う。
【００２０】
ＲＦタグが交信に使用する周波数は、ＵＨＦ−ＳＨＦ帯（８５０〜９５０ＭＨｚと、２．４〜５ＧＨｚ）、ＨＦ帯（１０〜１５ＭＨｚ）、ＬＦ−ＭＦ帯（１００〜５００ＫＨｚ）があり、本発明ではいずれの周波数を用いるＲＦＩＤタグも適用できる。ＵＨＦ−ＳＨＦ帯やＨＦ帯の周波数を用いる電磁誘導方式のＲＦＩＤタグでは、交信距離が長いが価格的に高い。ＬＦ−ＭＦ帯の周波数を用いる静電結合方式のＲＦＩＤタグは、読み取り距離が比較的短いが、ＲＦＩＤタグ、リーダライタおよび制御機器を含めてのシステム全体の価格が比較的安価で用途面も広い。
【００２１】
ＲＦタグ２１の形態についても、タグ形状、ラベル形状、カード形状、コイン形状、インレット形状などの種々の形状があるが、いずれの形状のＲＦタグ２１でも適用できる。
ＲＦタグ２１の記録容量としては、ＩＣチップの一般的なＩＣメモリの場合は、１０２４Ｂｉｔｓで１２８文字の記録ができ、通常の製品や梱包された荷物の最低限の情報記録には充分に適用できる。また、数キロビットであれば、従来の荷物管理に用いられていた２次元バーコード以上の記録が可能である。さらに、バーコードと異なり、情報を必要に応じて逐次追加記録しまた書き換えできる利点があり、荷物の搬入搬出管理はもちろん、製品の授受や品質管理に用いることもできる。
【００２２】
（ＲＦタグ）ＲＦタグ２１は、ＲＦタグ基体にアンテナパターンを形成し、当該アンテナパターンとＩＣチップに内蔵された容量素子とにより共振回路を形成している。共振回路は、リーダライタから一定の周波数の呼出し電波を受信すると、同時にＲＦタグの駆動電力も受けて、ＩＣチップのメモリに記憶されている情報を発信源であるリーダライタに送信して返す。
【００２３】
ＲＦタグ基体の材料としては、絶縁性材料であれば特に限定されるものではなく、例えばポリエチレンテレフタレート、ポリ塩化ビニール、ポリプロピレン、ポリカーボネイト、ポリエーテルサルフォン、ポリアミド、酢酸セルロースなどのフィルムが適用できる。該フィルムの厚みも、特に限定されるものではなく、１２μｍ〜１００μｍ程度が好適である。また、ＲＦタグ基体には機能に影響のない範囲で、着色剤、帯電防止剤、滑剤、安定剤などの添加剤を混入させても良い。
【００２４】
（アンテナ）ＲＦタグ２１のアンテナパターンは、該ＲＦタグ基体にラミネートしたアルミ箔や銅箔などの金属材料を、フォトエッチングやレジスト印刷後のエッチングによりコイル状に形成して、該アンテナパターンに、ＩＣチップを装着して形成することができる。その大きさも５０ｍｍ×５０ｍｍ以下のサイズにできる。具体的には、大日本印刷社製の製品名「ａｃｃｕｗａｖｅ」が例示できる。該ＲＦタグ２１のアンテナパターンはコイル状である。
【００２５】
ＩＣチップを有するＩＣチップラベルを、ベタ状態で構成されている静電結合型アンテナパターン一対の双方に接続するように貼着した静電結合型のＲＦタグ２１でもよい。ＲＦタグ２１における一対のアンテナパターンの形成は、導電性インキを使用して、オフセット、グラビア、フレキソ、又はシルクスクリーン印刷などによって形成する。導電性インクには、カーボン・黒鉛・アルミ粉・銀紛、あるいはそれらの混合体などをビヒクルに分散したインキを使用するので、黒色またはそれに近い色調である。具体的には、モトローラ社製の製品名「Ｂｉｓｔａｔｉｘ」が例示でき、リーダライタと交信できる距離は短いものの、安価で信頼性も高い。なお、「ＩＣチップラベル」とは、シリコン基板に集積回路またはメモリ、あるいはその双方を設けたＩＣチップを、ＲＦタグの一対のアンテナパターンに装着可能にタックラベル化した状態のものを意味し、該タックラベル自体にもＩＣチップに接続した小型で一対の子アンテナパターンを有する場合もある。
【００２６】
一般に、ＩＣチップラベルは、ＲＦタグの基体へ形成されたアンテナパターンに対して貼着して使用されるが、ＩＣチップラベルにも、小型で一対の子アンテナパターンが導電性の印刷インキなどにより印刷されている。ＲＦＩＤタグの基体に形成されたアンテナパターンとＩＣチップラベルの一対の子アンテナパターンとは、異方導電性もしくは非導電性の粘着剤により貼着し結合される。該粘着剤は、予めＩＣチップラベルの一対の子アンテナパターン面に、塗工してタックラベル化させている。
【００２７】
（感熱印字）感熱印字は公知のレーザビームあるいはサーマルヘッドなどの加熱手段による感熱方式のプリンターでよい。図２のように、ＲＦタグ２１の部分の厚みが増す場合もあるが、厚い部分は感熱ヘッドへラベルを接触させているプラテンロールを１時的に開放して逃がしたり、プラテンロールの１部を欠落されればよい。
【００２８】
ＲＦタグ付き感熱ロールラベル１０の感熱記録層１５へ感熱印字する情報は、少なくとも生産履歴情報、流通履歴情報、及び／又は品質情報であり、目視可能に表示することができる。該表示情報は、ＲＦタグ２１に記録された情報をそのままでも、また、該情報に基づく情報を加工したものでもよい。加工情報とはＲＦタグ２１に記録されている情報から１部を抜き出して、例えば、生産履歴情報のなかの生産者や生産場所、流通履歴情報のなかの流通温度や経路、及び／又は品質情報から等級や大きさなどのみ、さらに、小売などの価格、各種注意事項などを、所定の指示に応じて決めることができる。これらの情報から適宜選択して、感熱印字法で目視可能に表示すればよい。
【００２９】
（貼着法）必要情報が書き込まれたＲＦタグ２１と、目視認識できる表示部からなるＲＦタグ付き感熱ロールラベル１０は、１つのラベル片にして、物品へ貼着すればよい。該貼着方法は、任意でよく、例えば、接着剤や粘着剤、両面粘着テープ、留め金具、紐、埋め込みなどいずれの方法でもよい。ＲＦタグ読み取り装置、感熱プリンター、及び自動ラベラー一連としたり、接続した装置が効率的には好ましい。なお、ＲＦタグ２１への必要情報の書き込みは、ラベル化された後でもよい。
【００３０】
印字内容としては、例えば、製造メーカ、倉庫、代理店、卸店、小売店と流通する場合には、それぞれの段階でＲＦタグ２１へ必要事項を書き込んで記録すると同時に、次の配送先を感熱印字で表示し、ラベルとして物品へ貼着すれば、専用リーダーがない運送業者でもラベルを目視認識できるので、間違えずに確実に送付することができる。また、リライト型の感熱記録層１５であれば、受け取った受領者が自分宛配送先を消去し、次の配送先を再度感熱印字で表示し、ラベルとして物品へ貼着すれば、ラベルが１枚で流通経路を順次網羅して配送することができるので、さらに好ましい。
【００３１】
（変形形態）本発明は、次のように変形して実施することを含むものである。
ＲＦタグ２１を有する、感熱印字の可能なラベル片１１が連なったロールで説明してきたが、ＲＦタグ２１と、別途感熱印字の可能なラベル片１１が連なったロールを準備しておき、まず、ＲＦタグ２１のＩＣチップ内の情報を読み、該情報に基づきラベル片の感熱記録層へ目視可能に印字した後に、該ラベル片と前記ＲＦタグ２１とを合わせて物品へ貼着して、ＲＦタグ付き感熱ロールラベルを貼着してなる物品としてもよい。
【実施例】
【００３２】
以下、実施例及び比較例により、本発明を更に詳細に説明するが、これに限定されるものではない。
【００３３】
（実施例１）ラベル基材１３として、厚み２５μｍの白色ポリエチレンテレフタレートフィルムを用い、下記組成の感熱記録層形成用組成物、及び保護層形成用組成物を用い、いずれもグラビアコート法にて、各々厚み１μｍの感熱記録層、及び保護層を形成した。
＜感熱記録層形成用組成物＞
・塩化ビニル−酢酸ビニル共重合体樹脂  １５質量部
・ベヘン酸                              ５質量部
・テトラヒドロフラン                  ８０質量部
＜保護層形成用組成物＞
・酢酸セルロース樹脂                    ５質量部
・メタノール                          ２５質量部
・メチルエチルケトン                  ４５質量部
・トルエン                            ２５質量部
・メチロール化メラミン樹脂          ０．５質量部
・パラトルエンスルフォン酸        ０．０５質量部
上記で、保護層／感熱記録層１５／ラベル基材１３の構成からなる感熱ロールラベルが得られ、さらにラベル基材１３面のコーナー部へ、ＲＦタグ２１として、モトローラ社製の製品名「Ｂｉｓｔａｔｉｘ」をホットメルトで貼着して、実施例１のＲＦタグ付き感熱ロールラベル１０を得た。
【００３４】
（実施例２）ＲＦタグ２１として、大日本印刷社製の製品名「ａｃｃｕｗａｖｅ」を用いる以外は、実施例１と同様にした。
【００３５】
（評価）実施例１〜２のＲＦタグ２１へ生産履歴情報、流通履歴情報、品質情報、価格情報をＲＦタグリーダーライターを用いて書き込んだ後に、該情報をＲＦタグリーダーで読み取り、情報のなかから生産地、生産者名、及び出荷日を感熱記録部へサーマルプリンターで書き込んだところ、実施例１〜２のいずれも目視可能に印字できた。
【図面の簡単な説明】
【００３６】
【図１】本発明の１実施例を示すＲＦタグ付き感熱ロールラベルの斜視図である。
【図２】図１のＡＡ断面図である。
【符号の説明】
【００３７】
１０：ＲＦタグ付き感熱ロールラベルを貼着してなる物品
１１：ラベル片
１３：ラベル基材
１５：感熱記録層
２１：ＲＦタグ
【図１】
2007033837.tif 000003
【図２】
2007033837.tif 000004